(57)【特許請求の範囲】
【請求項１】
箱状のケース本体の内部に、テープを巻装した１個のリールが配置されており、前記テープの繰り出し端にピン状のテープ引出具が連結してあり、
前記ケース本体の周側壁に、前記テープ引出具を引出し操作するテープ引出口が開口されており、
前記テープ引出具が、前記テープが巻き掛け連結される連結軸部と、当該連結軸部の上下のそれぞれに張り出し形成されたフランジ状の薄い区分壁と、当該区分壁の上下に設けられた操作軸部と、当該操作軸部より大径の係合軸部とを備えており、
前記上下の区分壁の間には、前記連結軸部に巻き掛けられた前記テープの外面に外嵌して前記テープ引出具を前記テープに連結する断面Ｃ字形のクランプを配置しており、
不使用状態において前記テープ引出口を閉止する蓋が、前記ケース本体にスライド開閉自在に支持されており、
前記テープ引出口に臨む前記ケース本体の上壁内面と底壁内面とに、前記テープ引出具の上下両端に設けた前記係合軸部を受け止める軸保持部が設けられており、
前記軸保持部は、前記テープ引出口を閉止する前記蓋の内面に隣接配置されて、前記テープ引出口の側へ向かって開口しており、
前記係合軸部は、前記テープ引出具が前記テープ引出口内へ収容される際に、前記軸保持部内に案内されて位置決め保持されるようになっており、
前記軸保持部と前記テープ引出口との間に、下り傾斜状の縦案内面が設けられていることを特徴とする単リール型の磁気テープカートリッジ。
【請求項２】
前記軸保持部内に収容した前記係合軸部が、前記蓋で抜け出し不能に保持されていることを特徴とする請求項１記載の単リール型の磁気テープカートリッジ。
【発明の詳細な説明】
【技術分野】
【０００１】
本発明は、コンピュータ用データレコーダの磁気記録媒体に代表される、単リール型の磁気テープカートリッジに関する。
【背景技術】
【０００２】
この種の磁気テープカートリッジにおいては、磁気テープの繰り出し端にテープ引出具を連結しておき、このテープ引出具をテープドライブ側の捕捉具で捕捉して、磁気テープをケース本体から引出し操作する。テープ引出具には、自己保形性を持つプラスチックシートで形成したもの（特許文献１）や、プラスチックブロックで形成したもの（特許文献２）などがある。
【０００３】
【特許文献１】特開平８−６３９４０号公報
【特許文献２】特開昭６２−６６４８６号公報
【発明の開示】
【発明が解決しようとする課題】
【０００４】
プラスチックシートで形成したテープ引出具は、磁気テープの全量をケース本体内へ巻き戻した状態において、シート遊端が片持ち状態でテープ引出口に露出しているうえ、テープ引出具これ自体がシート厚み方向へ弾性変形可能である。そのため、テープ引出具を正確に位置決め保持するのが難しい。このことは、使用状態において捕捉具によるテープ引出具の捕捉に失敗する可能性のあることを意味している。
【０００５】
プラスチックブロックで形成したテープ引出具は、それ自体が変形することはなく、ケース本体で待機時の姿勢保持を行うので、先のテープ引出具に比べて位置保持精度は高い。しかし、テープ引出具は待機状態において僅かに遊動できるうえ、テープ引出具がケース周側面に常時露出していて、例えば落下衝撃を受けるような場合に、その遊端がケース外へ突出する余地があるため、十分な信頼性を得難い。テープ引出具を操作するためにローディング用のポケットが開口しているため、そこから塵埃等がケース内へ侵入しやすいところにも問題がある。
【０００６】
本発明者等は、このようなテープ引出具に関する問題点を解消するために、テープ引出具をピンで形成し、これをケース本体の周側壁に設けたテープ引出口の内部に待機保持する形態を開発しつつある。
【０００７】
本発明の目的は、ピン状のテープ引出具を備えた磁気テープカートリッジにおいて、待機状態のテープ引出具を常に正確に位置保持できるようにし、以て使用時におけるテープ引出具の捕捉連結を失敗なく確実に行えるようにし、長期使用時にも待機状態のテープ引出具を正確に位置決め固定することにある。本発明の他の目的は、テープ引出口を開閉する蓋を利用して、待機状態のテープ引出具の抜け出しやがたつきを防止できるようにし、これによりテープ引出具を待機保持するための保持構造を別途設ける場合に比べて、磁気テープカートリッジの構成部品点数を減らし、その分だけ製造に要するコストを削減することにある。
【課題を解決するための手段】
【０００８】
本発明の磁気テープカートリッジは、図２に示すように箱状のケース本体１の内部に、テープ３を巻装した１個のリール２が配置されており、テープ３の繰り出し端にピン状のテープ引出具７が連結してある。ケース本体１の周側壁には、テープ引出具７を引出し操作するテープ引出口４が開口されている。テープ引出具７は、テープ３が巻き掛け連結される連結軸部８と、連結軸部８の上下のそれぞれに張り出し形成されたフランジ状の薄い区分壁９と、区分壁９の上下に設けられた操作軸部１０と、操作軸部１０より大径の係合軸部１１とを備えている。上下の区分壁９・９の間には、連結軸部８に巻き掛けられたテープ３の外面に外嵌してテープ引出具７をテープ３に連結する断面Ｃ字形のクランプ１３を配置している。不使用状態においてテープ引出口４を閉止する蓋５が、ケース本体１でスライド開閉自在に支持されている。テープ引出口４に臨むケース本体１の上壁内面と底壁内面とに、テープ引出具７の上下両端に設けた係合軸部１１を受け止める軸保持部１５を設ける。軸保持部１５はテープ引出口４を閉止する蓋５の内面に隣接配置されて、テープ引出口４の側へ向かって開口してある。係合軸部１１は、テープ引出具７がテープ引出口４内へ収容される際に、軸保持部１５内に案内されて位置決め保持されるようになっている。軸保持部１５とテープ引出口４との間に、下り傾斜状の縦案内面１９が設けられている。
【０００９】
軸保持部１５内に収容した係合軸部１１は、蓋５で抜け出し不能に保持する。
【００１０】
軸保持部１５は浅い凹部として形成し、軸保持部１５と協同してテープ引出具７を遊動不能に挟み保持する押圧片２３を蓋５の内面に突設することもできる。テープ引出具７は、図４に示すようにテープ３が巻き掛け連結される連結軸部８と、連結軸部８の上下に設けられた操作軸部１０と、操作軸部１０より大径の係合軸部１１とを備えている。
【００１１】
（作用）  テープ引出具７をケース本体１の内部に収容した状態においては、その上下両端の係合軸部１１がケース上壁およびケース底壁の内面に設けられた軸保持部１５で受け止め保持される。更に、テープ引出口４を閉止する蓋５が軸保持部１５への出入口１８の側を遮って、係合軸部１１が軸保持部１５から抜け出るのを防ぎ、テープ引出具７を位置決め保持する。
【００１２】
従って、従来の磁気テープカートリッジに比べて、テープ引出具７を正確かつ確実に位置決め保持できる。蓋５を利用してテープ引出具７の抜け出しを阻止するので、その分だけ構成部品点数を削減できるうえ、不使用時のテープ引出具７がテープ引出口４を介してケース外面に露出するのを防止できる。塵埃等がテープ引出口４から侵入することもない。
【００１３】
蓋５の内面に押圧片２３を設け、この押圧片２３と軸保持部１５とで係合軸部１１を挟み保持すれば、テープ引出具７をがたつきのない状態で待機保持できる。蓋５を閉じ操作するとき、押圧片２３が係合軸部１１を乗り越えて、その周面を挟み保持する軸保持構造を採る場合には、蓋５が不用意に開き移動するのを防いで、使用者の明確な意図がない限りはテープ引出口４を閉止し続けることができる。
【発明の効果】
【００１４】
本発明では、テープ引出口４の内方上下に軸保持部１５を設け、これら軸保持部１５でテープ引出具７の上下端の係合軸部１１を受け止めて確実に位置決め保持できるようにした。更に、テープ引出口４を開閉する蓋５を利用して、テープ引出具７が軸保持部１５から抜け出るのを防止できるようにした。
【００１５】
従って、テープドライブの捕捉具によるテープ引出具７の捕捉連結を確実に行え、従来例に比べて使用時の信頼性を向上できるうえ、他物との衝突や落下衝撃等によるテープ引出具７の位置ずれを解消して、長期使用時にも待機状態のテープ引出具７を正確に位置決め保持できる。
【００１６】
軸保持部１５とテープ引出口４との間に下り傾斜状の縦案内面１９を設けると、テープ引出具７がテープ引出口４内へ復帰収容する間に、係合軸部１１の上下端面が縦案内面１９で案内されて、テープ引出具７の上下位置のずれを修正できる。
【００１７】
また、蓋５を利用してテープ引出具７の待機保持状態を維持するので、部品点数の増加を避けることができ、その分だけ磁気テープカートリッジの製造コストを削減できる。
【発明を実施するための最良の形態】
【００１８】
図１ないし図５は本発明に係る単リール型の磁気テープカートリッジの実施例を示す。図２において磁気テープカートリッジは、上下ケース１ａ・１ｂを蓋合わせ状に接合してなる角箱状のケース本体１を有し、ケース本体１の内部に配置した１個のリール２にテープ３を巻装している。ケース本体１の前側壁の一側端には、テープ引出口４が開口してあり、これをスライド自在な蓋５で開閉できる。蓋５は上下ケース１ａ・１ｂに設けたガイド溝３０に沿ってスライド開閉し、ばねで閉じ勝手に移動付勢されている。
【００１９】
リール２に巻装したテープ３をケース外へ引き出し操作するために、テープ３の繰り出し端にテープ引出具７を連結する。図４においてテープ引出具７は、金属ピン状の旋削加工品からなり、その上下高さの大半を小径の連結軸部８が占め、連結軸部８の上下のそれぞれにフランジ状の薄い区分壁９を張り出し形成して、区分壁９の上下に操作軸部１０と係合軸部１１とを一体に形成する。操作軸部１０は連結軸部８と同径にし、係合軸部１１は区分壁９の直径寸法と一致させる。連結軸部８にテープ３の端部を輪奈状に巻き付け、輪奈部の外面に断面Ｃ字形の緩衝体１２を外嵌し、更に緩衝体１２に金属薄板で形成した断面Ｃ字形のクランプ１３を外嵌することにより、テープ引出具７をテープ３に連結している（図１参照）。緩衝体１２は、クランプ１３の周方向端縁にテープ３が接当して千切れるのを防ぐために介装する。
【００２０】
不使用時のテープ引出具７をテープ引出口４のケース内方において直立姿勢で位置決め保持するために、図３に示すように上ケース１ａの上壁内面と下ケース１ｂの底壁内面のそれぞれに、各係合軸部１１の周面を受け止める軸保持部１５を設ける。図５において、下ケース１ｂの軸保持部１５はケース底壁をコ字形に浅く凹ませ、更に凹み周縁に沿って奥端壁１６と左右一対の側壁１７を膨出して形成してあり、テープ引出口４側へ向かって出入口１８を開口する。軸保持部１５の前縁とテープ引出口４の開口縁との間には、下り傾斜状の縦案内面１９を設ける。側壁１７の出入口１８側の端部には、外拡がり状の導入案内面２０を設ける。上ケース１ａの上壁内面にも、下ケース１ｂと同様の軸保持部１５や縦案内面１９が上下対称に設けてある。上下の軸保持部１５の対向間隔は、テープ引出具７の上下長より僅かに大きく設定してある。
【００２１】
軸保持部１５で受け止めたテープ引出具７が、テープ引出口４からケース外へ抜け出るのを防ぐために、蓋５を利用して係合軸部１１の外周面を受け止め保持する。そのために、軸保持部１５の出入口１８の開口面から奥端壁１６までの前後寸法を、係合軸部１１の直径寸法と同じかこれより僅かに大きく設定し、出入口１８の開口面を蓋５の内面側の開閉軌跡に臨ませる。
【００２２】
使用時には、磁気テープカートリッジをケース側壁２１の側を始端にしてテープドライブに装填することにより、蓋５が開き操作されてテープ引出口４を開放する。同時にリール２の遊転を阻止していたリールロックが解除される。この状態でテープドライブ側の捕捉具がテープ引出口４からケース内へ進入し、テープ引出具７の上下の操作軸部１０を捕捉係合して、テープ引出具７を介してテープ３を引き出し、テープドライブ側の巻き取りリールにテープ引出具７を引き渡す。テープ３に対するデータの記録あるいは読み込みが終了したら、テープ３はリール２に巻き戻される。テープ引出具７は捕捉具に再び係合捕捉されて、ケース本体１内へ元の状態にして収容される。
【００２３】
捕捉具に支持されたテープ引出具７は、テープ引出口４内へ復帰収容される間に、係合軸部１１の上下端面が上下の縦案内面１９で案内されて上下位置のずれが修正される。係合軸部１１は出入口１８の両側の導入案内面２０で案内されて、軸保持部１５内へ正しく収容され、前後および左右方向へ位置決め保持される。この後、磁気テープカートリッジをテープドライブから抜き出すことにより、蓋５がばね６の付勢力によって閉止スライドし、テープ引出口４を閉じる。
【００２４】
蓋５を完全に閉じた状態においては、図１に示すように軸保持部１５の出入口１８が蓋５の内面壁で遮られる。従って、テープ３にたるみを生じていたとしても、テープ引出具７が軸保持部１５から抜け出ることはなく、次の使用機会までテープ引出具７を適正に位置保持できる。誤って、磁気テープカートリッジを床面に落としたような場合にも、テープ引出具７がケース外へ飛び出るのを確実に防止できる。
【００２５】
図６は本発明の別実施例を示す。そこでは、上下の係合軸部１１と対向する蓋５の内面に押圧片２３を突設し、蓋５を閉じた状態において、押圧片２３が係合軸部１１の周面に係合して、テープ引出具７を遊動不能に保持固定する点が上記の実施例と異なる。押圧片２３は、係合軸部１１の周面に密着する部分円弧状の係合面２４を有し、係合面２４の一側に乗り越えを容易化する傾斜面２５を備えている。このように、係合軸部１１と係合する押圧片２３を備えた蓋５によれば、使用者の明確な意図がない限りは蓋５が開放スライドするのを阻止できるので、誤って蓋５を開放し、リール２に巻装されたテープ３の磁性面に触れる等の使用上のミスを解消できる。この場合の蓋５用のばね６は省略してもよい。
【００２６】
上記の実施例以外にテープ引出具７は、プラスチック成形品で形成してもよい。係合軸部１１は丸軸である必要はなく、多角形断面状に形成してもよい。同様に、軸保持部１５の凹み形状は、三角形や台形等に変更でき、上壁や底壁に突起を設けて軸保持部１５とすることができる。テープ引出口７の開口位置はケースの四隅の近傍であれば、どの隅部であってもよい。
【図面の簡単な説明】
【００２７】
【図１】図３におけるＡ−Ａ線断面図である。
【図２】磁気テープカートリッジの横断平面図である。
【図３】テープ引出口の正面図である。
【図４】テープ引出具の斜視図である。
【図５】軸保持部の斜視図である。
【図６】蓋の別実施例を示す平面図である。
【符号の説明】
【００２８】
１  ケース本体
２  リール
３  テープ
４  テープ引出口
５  蓋
７  テープ引出具
１１  係合軸部
１５  軸保持部
１８  出入口
１９  縦案内面
【図１】
0004539995.tif 000002
【図２】
0004539995.tif 000003
【図３】
0004539995.tif 000004
【図４】
0004539995.tif 000005
【図５】
0004539995.tif 000006
【図６】
0004539995.tif 000007